(57)【特許請求の範囲】
【請求項１】
巻線用窓を有して磁性体から成るＣ形コア半体と、ギャップ部を介して接合されるＩ形コア半体とに前記巻線用窓を通じて、それぞれのコア半体に互いの巻線方向が逆方向となるように巻線を施して一組の磁気ヘッド部と成し、これら磁気ヘッド部を前記Ｉ形コア半体の一面側が互いに対向面となるように、所定間隔を有してヘッドサポート上に近接配置して取り付けた磁気ヘッドにおいて、
前記互いのヘッド部を、前記Ｉ形コア半体の後面側の少なくとも一部を残して前記ヘッドサポートにそれぞれ近接配置して取り付けると共に、
前記Ｉ形コア半体にそれぞれ巻回される巻線を、前記残された後面側の箇所を通過し、かつ、前記Ｉ形コア半体の一面側に臨まない領域に巻回したことを特徴とする磁気ヘッド。
【発明の詳細な説明】
【０００１】
【発明の属する技術分野】
本発明は、ビデオテープレコーダ（ＶＴＲ）などの磁気記録再生装置に搭載されて好適な磁気ヘッドに関する。
【０００２】
【従来の技術】
図２（Ａ），（Ｂ）は従来の磁気ヘッドを示した上面図，正面図である。
図２（Ａ），（Ｂ）に示した如く、ビデオテープレコーダ（ＶＴＲ）などの磁気記録再生装置に搭載される磁気ヘッド１として、タブルアジマスを形成したコンビネーション型の磁気ヘッドが用いられている。
上記磁気ヘッド１は、リング型の磁気ヘッド部１ａ，１ｂを１枚のヘッドサポート２上に近接配置されている。
【０００３】
磁気ヘッド部１ａは、強磁性材の磁性フェライトを用いて巻線用窓３ａ２を有するＣ形コア半体３ａと、強磁性材の磁性フェライトを用いて巻線用窓のないＩ形コア半体４ａとを一組として互いに突き合わせて、モールドガラス５ａを用いて接着すると共に、磁気テープＴが摺接するテープ摺接面３ａ１，４ａ１の突き合わせ面に磁気ギャップ６ａが形成されている。
【０００４】
上記と同様に、磁気ヘッド部１ｂも磁性フェライトを用いて巻線用窓３ｂ２を有するＣ形コア半体３ｂと、磁性フェライトを用いて巻線用窓のないＩ形コア半体４ｂとを一組として互いに突き合わせて、モールドガラス５ｂを用いて接着すると共に、磁気テープＴが摺接するテープ摺接面３ｂ１，４ｂ１の突き合わせ面に磁気ギャップ６ｂが形成されている。
【０００５】
また、Ｃ形コア半体３ａとＩ形コア半体４ａとに巻線７ａが外部ノイズに対するキャンセルを考慮して互いに逆方向となるように施され、同様に、Ｃ形コア半体３ｂとＩ形コア半体４ｂとに巻線７ｂが施されている。
【０００６】
そして、磁気ヘッド部１ａと磁気ヘッド部１ｂとを１枚のヘッドベース２上に配置する際、、互いのギャップ間が所定の距離ｄ１となるように所定の間隔ｄ２を有して、各々のＩ形コア半体４ａ，４ｂ側を互いに対向するように配置している。
【０００７】
【発明が解決しようとする課題】
ところで、近年になって、これらの両方の磁気ヘッド部を記録用のヘッドとしたり、再生用のヘッドとして同時に作動するような方法も考えられており、このような場合に、互いの磁気ヘッド部からのクロストークの問題が生じる。
【０００８】
これを防ぐために、互いの磁気ヘッド部の間隔を更に広げることが考えられるが、その間隔が所定の幅となるように規定されており、変更の自由度が制限されてします。
【０００９】
また、そのままの間隔を保ったままで、その間隔部に漏れ磁束を防ぐためのシールドを設けることも考えられるが、その所定間隔ｄ２は１ｍｍに満たない幅であり、その部分にシールドを施すことは、かなり面倒な作業となってしまうと言う問題がある。
【００１０】
そこで、本発明の解決課題は、前記のような問題を解決した磁気ヘッドを提供することにある。
【００１１】
【課題を解決するための手段】
本発明は上記課題を解決するために、次のような手段より成る。
すなわち、
巻線用窓を有して磁性体から成るＣ形コア半体と、ギャップ部を介して接合されるＩ形コア半体とに前記巻線用窓を通じて、それぞれのコア半体に互いの巻線方向が逆方向となるように巻線を施して一組の磁気ヘッド部と成し、これら磁気ヘッド部を前記Ｉ形コア半体の一面側が互いに対向面となるように、所定間隔を有してヘッドサポート上に近接配置して取り付けた磁気ヘッドにおいて、
前記互いのヘッド部を、前記Ｉ形コア半体の後面側の少なくとも一部を残して前記ヘッドサポートにそれぞれ近接配置して取り付けると共に、
前記Ｉ形コア半体にそれぞれ巻回される巻線を、前記残された後面側の箇所を通過し、かつ、前記Ｉ形コア半体の一面側に臨まない領域に巻回したことを特徴とする磁気ヘッド。
【００１２】
【発明の実施の形態】
以下、本発明の実施の形態につき、好ましい実施例により説明する。
図１（Ａ），（Ｂ）は本発明の実施例に係る磁気ヘッドの上面図，正面図である。尚、説明の便宜上、先に従来例で示した構成部材と同一構成部材については同一符号を付して説明する。
【００１３】
磁気ヘッド１０における磁気ヘッド部１０ａは、強磁性材である例えば磁性フェライトを用いて巻線用窓３ａ２を有するＣ形コア半体３ａと、強磁性材の磁性フェライトを用いて巻線用窓のないＩ形コア半体４ａとを一組として互いに突き合わせて、モールドガラス５ａを用いて接着すると共に、磁気テープＴが摺接するテープ摺接面３ａ１，４ａ１の突き合わせ面に磁気ギャップ６ａが形成されている。
【００１４】
上記と同様に、磁気ヘッド部１０ｂも磁性フェライトを用いて巻線用窓３ｂ２を有するＣ形コア半体３ｂと、磁性フェライトを用いて巻線用窓のないＩ形コア半体４ｂとを一組として互いに突き合わせて、モールドガラス５ｂを用いて接着すると共に、磁気テープＴが摺接するテープ摺接面３ｂ１，４ｂ１の突き合わせ面に磁気ギャップ６ｂが形成されている。
【００１５】
また、Ｃ形コア半体３ａとＩ形コア半体４ａとに巻線７ａが互いに逆方向となるように施され、同様に、Ｃ形コア半体３ｂとＩ形コア半体４ｂとにも巻線７ｂが施されている。
【００１６】
この時、Ｉ形コア半体４ａ側及び４ｂ側に巻回される巻線７ａ及び７ｂは、各Ｉ形コア半体４ａ及び４ｂの後面位置で、その巻線が互いの対向面側に出ないように巻回されている。
【００１７】
そして、これらの磁気ヘッド部１０ａと磁気ヘッド部１０ｂとは、１枚のヘッドサポート２０より、互いのヘッドギャップ６ａ，６ｂの間隔ｄ１ととなるように所定の間隔ｄ２を有して取り付けられており、しかも、前記の巻線７ａ及び７ｂをＩ形コア半体４ａ，４ｂの後面側に巻回するのに、少なくとも障害にならない範囲分を残して取り付けられている。
【００１８】
本発明の実施の形態の磁気ヘッドは、以上のような構成から成り、本発明者の検証によれば、上述の形態の磁気ヘッド部１０ａ，１０ｂを同時に作動させた場合と、従来例の構成による磁気ヘッド部１ａ，１ｂを同時に作動させた場合の互いの磁気ヘッド部間のクロストークを測定したところ、５ｄＢの改善がみれた。
【００１９】
これは、本発明の実施の形態の磁気ヘッドにおいては、そのＩ形コア半体４ａ，４ｂ側に巻回される巻線７ａ，７ｂを、互いの磁気ヘッド部１０ａ，１０ｂの対向面側に臨まないように巻回したことにより、互いの巻線７ａ，７ｂまでの距離が遠ざかったことによる効果と認められる。
【００２０】
また、本発明の実施の形態の磁気ヘッドによれば、ヘッドサポート２０の取り付けに際し、Ｉ形コア半体４ａ，４ｂの後面側の少なくとも巻線を施す部分を残すように取り付けているので、巻線７ａ，７ｂがヘッドサポート２０の側面部２０ａ，ｂに規制されて巻き易くなるものである。
【００２１】
【発明の効果】
本発明の磁気ヘッドによれば、Ｉ形コア半体に巻回される巻線が、互いの磁気ヘッド部の対向面側に臨まないようになっており、その分、互いの巻線までの距離が従来構成のものより遠ざかり、その分、クロストークが軽減される。
また、互いのＩ形コア半体の後面側を、巻線が施される箇所を少なくとも残してヘッドサポート上に取り付けるようにしているので、巻線を施す際にヘッドサポートの側面が巻線移動の規制部となって、巻回が効率良く巻ける等の効果を奏する。
【図面の簡単な説明】
【図１】（Ａ），（Ｂ）は本発明に係わる磁気ヘッドを示した上面図，正面図である。
【図２】（Ａ），（Ｂ）は従来の磁気ヘッドを示した上面図，正面図である。
【符号の説明】
３ａ，３ｂ    Ｃ形コア半体
４ａ，４ｂ    Ｉ形コア半体
３ａ２，３ｂ２    巻線用窓
３ａ１，３ｂ１，４ａ１，４ｂ１    テープ摺接面
６ａ    磁気ギャップ
２０    ヘッドサポート
１０    磁気ヘッド
１０ａ，１０ｂ    磁気ヘッド部
７ａ，７ｂ    巻線
Ｔ…磁気テープ。
【図１】
0003713855.tif 000002
【図２】
0003713855.tif 000003